(57)【要約】【課題】より大容量の情報表示を可能とするとともに、通話中であっても表示器の表示情報を視認可能として使い勝手の向上を図る。【解決手段】全体矩形の筐体にダイヤルボタン６や機能ボタン７，８が配列されるとともに長手方向の一端部近傍に位置して送話部９が設けられた本体筐体部２と、この本体筐体部２の送話部９と対向する長手方向の他端部側に位置して第１のヒンジ機構１０を介して展開自在に組み合わされる受話部１３と第１の表示器１２とが搭載された第１表示器筐体部３と、本体筐体部２の送話部９側の一端部に位置して第２のヒンジ機構１１を介して開閉自在に組み合わされるとともに第２の表示器１４が搭載された第２表示器筐体部４とから構成される。【選択図】  図１
2004282407.tif 000002
【特許請求の範囲】
【請求項１】
全体矩形の筐体にダイヤルボタンや機能ボタンが配列され、長手方向の一端部近傍に位置して送話部が設けられた本体筐体部と、
前記本体筐体部の前記送話部と対向する長手方向の他端部側に位置して第１のヒンジ機構を介して展開自在に組み合わされ、受話部が設けられるとともに第１の表示器が搭載された第１表示器筐体部と、
前記本体筐体部の前記送話部側の一端部に位置して第２のヒンジ機構を介して展開自在に組み合わされるとともに第２の表示器が搭載された第２表示器筐体部と
から構成されることを特徴とする折畳み型携帯電話機。
【請求項２】
前記第２のヒンジ機構に、前記本体筐体部に対して前記第２表示器筐体部を開閉方向と直交する回転方向に対して回転自在とする回転支持機構が付設され、
前記第１表示器筐体部と前記第２表示器筐体部とが前記本体筐体部に対してそれぞれ展開操作された使用状態において、前記第２表示器筐体部を回転操作することによって前記第２の表示器の表示画面が視認可能とされることを特徴とする折畳み型携帯電話機。
【請求項３】
前記第１のヒンジ機構と前記第２のヒンジ機構とに、前記本体筐体部に対して前記第１表示器筐体部と前記第２表示器筐体部とをそれぞれ展開方向に付勢する弾性機構と、これら弾性機構の弾性力に抗して前記本体筐体部に対して前記第１表示器筐体部と前記第２表示器部筐体部とを折畳み状態に保持するロック機構と、このロック機構を解除して前記本体筐体部に対して前記第１表示器筐体部と前記第２表示器筐体部とを前記各弾性機構の弾性力によって折畳み状態から展開状態とするロック解除機構とが付設されることを特徴とする請求項１又は請求項２に記載の折畳み型携帯電話機。
【発明の詳細な説明】
【０００１】
【発明の属する技術分野】
本発明は、折畳み型携帯電話機に関し、さらに詳しくはダイヤルボタンや機能ボタンが配列され本体部に対して第１の表示器が搭載された第１表示器筐体と第２の表示器が搭載された第２表示器筐体とが開閉自在に組み合わされてなる３分割型の折畳み型携帯電話機に関する。
【０００２】
【従来の技術】
携帯電話機は、一般に１個の細長い矩形筐体からなるスティック型携帯電話機と、ダイヤルキーや送話部等が設けられた本体筐体部と受話部や表示器等が設けられた表示器筐体部とがヒンジ機構を介して折畳み自在とされた折畳み型携帯電話機とに大別される。携帯電話機は、小型軽量化と薄型化が図られるとともに、多機能化や高機能化が図られている。
【０００３】
携帯電話機には、電子メール機能や撮像ユニット或いは各種情報ネットワークの端末機能等の様々な機能が搭載されるとともに、例えば各種の機能モジュールを着脱することによりさらなるバージョンアップも図られるようになっている。携帯電話機は、単なる通話を行う使用態様よりも、いわゆる情報端末装置としての使用態様の割合が大幅に増えており、もはや単なる通話手段の位置付けにとどまるもので無い。
【０００４】
携帯電話機は、上述した各種の機能を搭載することによって、使い勝手に優れるとともに大量の情報を表示することが可能な大型の表示器が搭載されるようになっている。携帯電話機は、このためにスティック型よりも大型表示器の搭載が可能な折畳み型の普及が高まっているが、さらに大容量の表示を可能とする要望が極めて高い。
【０００５】
一方、折畳み型携帯電話機においては、一般に表示器を折畳み状態において本体筐体部と対向する表示器筐体部の内面側に配置し、表示器筐体部を展開操作することによって表示器のスイッチングが自動的に行われて所定の表示が行われるように構成されている。また、折畳み型携帯電話機においては、折畳み状態において外側となる表示器筐体部の外側面を利用して、第２の表示器を搭載したものも提供されている。折畳み型携帯電話機は、第２の表示器によって例えばアンテナ感度、電池容量の状態、カレンダーや現在時刻或いは不在着信の有無やメール着信の有無等の表示を行うようにしている。
【特許文献１】
特開２００２−６４５９８号公報
【０００６】
【発明が解決しようとする課題】
従来の折畳み型携帯電話機においては、表示器筐体部に第１の表示器と第２の表示器とを搭載しているが、第２の表示器が上述したようにもっぱらインデックス情報を表示する機能を有するものであった。また、従来の折畳み型携帯電話機においては、この第２の表示器が表示器筐体部の外側面に表示画面を配置して搭載されていることから、本体筐体部に対して表示器筐体部を展開した使用状態では表示画面を視認することができない。
【０００７】
すなわち、従来の折畳み型携帯電話機においては、表示器筐体部の表裏面にそれぞれ表示面が配置される第１の表示器と第２の表示器とを搭載しているが、これらはもっぱら使用時と待機時とに使い分けされるものであった。折畳み型携帯電話機は、多機能化と高機能化或いは多様化に伴ってより大型の表示を必要とするが、せっかく搭載した第１の表示器と第２の表示器とを充分に活用し得ていないといった問題があった。
【０００８】
また、携帯電話機は、スティック型と折畳み型とにかかわらず、利用者が把持して相手と通話を行っている状態ではその形態のために表示器の画面を視認することはできない。携帯電話機は、使用態様として、例えば音声による通話を行いながら撮像ユニットによって撮像した画像やその他の画像を送受信することも頻繁に行われている。携帯電話機においては、この場合に相手との通話を一時中断して耳から離して表示器の画面を視認するといった操作が必要となり、使い勝手が悪いといった問題があった。
【０００９】
携帯電話機においては、表示器の画面を視認しながら通話も行えるようにしたいといった要望が極めて大きい。携帯電話機においては、例えばアクセサリ部品として提供されているイヤホンとマイクロホンとをセットにしたハンズフリーセットを用い、これを本体筐体部に設けたプラグ孔に接続することによって上述した使用態様も可能となる。しかしながら、利用者は、携帯電話機とともにハンズフリーセットも常時持ち運ばなければならずせっかくの携帯性が損なわれてしまうといった問題があった。
【００１０】
したがって、本発明は、より大容量の情報表示を可能とするとともに、通話中であっても表示器の表示情報を視認可能として使い勝手の向上を図る折畳み型携帯電話機を提供するものである。
【００１１】
【課題を解決するための手段】
上述した目的を達成する本発明にかかる折畳み型携帯電話機は、全体矩形の筐体にダイヤルボタンや機能ボタンが配列されるとともに長手方向の一端部近傍に位置して送話部が設けられた本体筐体部と、この本体筐体部の送話部と対向する長手方向の他端部側に位置して第１のヒンジ機構を介して展開自在に組み合わされる受話部と第１の表示器とが搭載された第１表示器筐体部と、本体筐体部の送話部側の一端部に位置して第２のヒンジ機構を介して開閉自在に組み合わされるとともに第２の表示器が搭載された第２表示器筐体部とから構成される。
【００１２】
以上のように構成された本発明にかかる折畳み型携帯電話機によれば、本体筐体部に対して第１の表示器を搭載した第１表示器筐体と第２の表示器を搭載した第２表示器筐体とを展開自在に組み合わせたことによって、第１の表示器と第２の表示器とにより大容量の情報表示が可能となる。したがって、折畳み型携帯電話機によれば、多種類の情報等を同時に表示することが可能となり、多機能表示化が図られるようになるとともに使い勝手の大幅な向上が図られるようになる。
【００１３】
また、折畳み型携帯電話機は、第２のヒンジ機構に、本体筐体部に対して第２表示器筐体部を開閉方向と直交する回転方向に対して回転自在とする回転支持機構が付設されてなる。したがって、折畳み型携帯電話機によれば、第１表示器筐体部と第２表示器筐体部とが本体筐体部に対してそれぞれ展開操作された使用状態において、第２表示器筐体部を回転操作することによって第２の表示器の表示画面が視認可能となる。折畳み型携帯電話機によれば、通話中であっても耳から離して通話を中断することなく第２表示器の画面に必要な画像情報や各種の情報を表示することが可能となり、多機能表示化や使い勝手がさらに向上されるようになる。
【００１４】
さらに、折畳み型携帯電話機は、第１のヒンジ機構と第２のヒンジ機構とに、本体筐体部に対して第１表示器筐体部と第２表示器筐体部とをそれぞれ展開方向に付勢する弾性機構が設けられる。折畳み型携帯電話機には、これら弾性機構の弾性力に抗して、本体筐体部に対して第１表示器筐体部と第２表示器部筐体部とを折畳み状態に保持するロック機構と、このロック機構を解除して本体筐体部に対して第１表示器筐体部と第２表示器筐体部とを各弾性機構の弾性力によって折畳み状態から展開状態とするロック解除機構とが付設される。
【００１５】
折畳み型携帯電話機によれば、本体筐体部に対して第１表示器筐体部と第２表示器筐体部とをそれぞれ展開自在に組み合わせて構成したが、弾性機構とロック解除機構とによってこれら第１表示器筐体部と第２表示器筐体の展開動作がワンタッチで可能となり、着信時の応答を遅れさせることは無い。
【００１６】
【発明の実施の形態】
以下、本発明について、図面に示した実施の形態によって詳細に説明する。実施の形態として図面に示した折畳み型携帯電話機（以下、単に携帯電話機と略称する。）１は、図１及び図２に示すように本体筐体部２と、この本体筐体部２に対して展開自在に組み合わされた第１表示器筐体部３及び第２表示器筐体部４とから構成される。携帯電話機１は、詳細を省略するが、音声無線通信機能、各種データ等の無線通信機能、各種情報等のストレージ機能、文書処理機能、撮像ユニット或いは衛星航法システム（ＧＰＳ：Ｇｌｏｂａｌ  Ｐｏｓｉｔｉｏｎｉｎｇ  Ｓｙｓｔｅｍ）の受信機能等の、現在提供されている一般的な携帯電話機に搭載されている各種の機能を備えている。
【００１７】
携帯電話機１は、詳細を省略するが機能切替えの操作を行うことによって第１表示器筐体部３と第２表示器筐体部４との表示切り替えが可能となる。携帯電話機１は、後述するように第２表示器筐体部４の表示画面を表側に位置させるようにすることによりって、待機状態においてもより多くの情報表示を可能とする。携帯電話機１は、第１表示器筐体部３と第２表示器筐体部４とを備えることにより、より多くの情報を同時に表示することが可能となり使い勝手の向上と多機能化が図られる。
【００１８】
携帯電話機１には、図示を省略するが、本体筐体部２の内部に上述した種々の機能を奏するＬＳＩやＩＣ素子、メモリ素子或いは電子部品等を搭載した制御基板や、リンガ及びバイブ機構或いは充電が可能なリチウムイオン二次電池等が内蔵されている。携帯電話機１には、本体筐体部２の外周部に、例えば充電用端子部、外部出力端子部或いはメモリーカード装填用スロット等が設けられている。携帯電話機１には、本体筐体部２に伸縮自在なロッドアンテナ５が設けられている。これらの部材等も、現在提供されている各種携帯電話機に搭載されている部材等と同等であることから、詳細についての説明を省略する。
【００１９】
本体筐体部２は、薄型で細長い矩形の筐体を有しており、未使用状態において詳細を後述するように第１表示器筐体部３と第２表示器筐体部４とによって覆われる内側面２ａに、一般の携帯電話機と同様にダイヤル数字キー６や決定キー７ａを中心に備える十字キー７或いは各種の機能キー８等が配列されて設けられている。本体筐体部２には、長手方向の一端部２ｂ側に位置して内部にマイクロホンが配置されて送話部９が設けられている。本体筐体部２には、長手方向の両端部２ｂ，２ｃに、第２のヒンジ機構１１と第１のヒンジ機構１０とを構成する筒状軸受部が幅方向の全域に亘って膨出形成されている。
【００２０】
本体筐体部２には、一端部２ｃ側に第１のヒンジ機構１０を介して第１表示器筐体部３が展開自在に組み合わされるとともに、他端部２ｂ側に第２のヒンジ機構１１を介して第２表示器筐体部４が展開自在に組み合わされる。第１表示器筐体部３と第２表示器筐体部４とは、それぞれの幅が本体筐体部２の幅とほぼ等しく、これらを並べたときの長さが本体筐体部２の長さとほぼ等しいそれぞれ略矩形の筐体を有している。第１表示器筐体部３と第２表示器筐体部４とは、それぞれの厚みが筒状部の外径とほぼ等しい。したがって、第１表示器筐体部３と第２表示器筐体部４とは、未使用状態において図３に示すように本体筐体部２の内側面２ａの全体に重ね合わされるように組み合わされて全体薄箱状の携帯電話機１を構成する。図３中、第１表示器筐体部３と第２表示器筐体部４の長さは、第１表示器筐体部３の長さに比して第２表示器筐体部４の長さが小さくされ、これら２つの長さによって本体筐体部４の長さにほぼ等しくされているが、第１表示器筐体部３の長さに比して第２表示器筐体部４の長さを大きく、又は第１表示器筐体部３と第２表示器筐体部４の長さを等しくてもよい。
【００２１】
第１表示器筐体部３には、第１の液晶表示器１２が、本体筐体部２の内側面２ａと対向する内側面３ａに表示画面を配置して組み込まれている。第１表示器筐体部３には、長手方向の一端部３ｂ側に上述した本体筐体部２側の筒状軸受部に対応して筒状軸受部が一体に形成され、これら筒状軸受部が組み合わされるとともに図示しない支軸が嵌挿されて第１のヒンジ機構１０を構成する。第１のヒンジ機構１０は、詳細を詳細を省略するが適宜のフリクション機構とクリック機構とが付設されており、これらフリクション機構とクリック機構とにより第１表示器筐体部３を本体筐体部２に対して閉じた状態と展開した状態とに保持するようにするとともに、途中の任意の位置でも軽いテンションで停止可能とする。
【００２２】
第１表示器筐体部３には、長手方向の他端部３ｃ側に位置して内部にスピーカが配置されて受話部１３が設けられている。第１表示器筐体部３には、図示しないが第１の液晶表示器１２とともにそのドライバ回路やスピーカの駆動回路等を搭載した基板が内蔵されており、例えば第１のヒンジ機構１０内を導かれるフレキシブルケーブルを介して本体筐体部２側の制御部と電気的に接続されている。
【００２３】
なお、第１表示器筐体部３には、図示しない内側面３ａと対向する外側面に、小型の液晶表示器や充電状態を表示するＬＥＤ等が設けられている。小型の液晶表示器は、例えば着信の動作表示やアンテナ感度、電池容量の状態、カレンダーや現在時刻或いは不在着信の有無やメール着信の有無等の表示を行う小型の液晶表示器が設けられる。
【００２４】
第２表示器筐体部４には、第２の液晶表示器１４が、本体筐体部２の内側面２ａと対向する内側面４ａに表示画面を配置して組み込まれている。第２表示器筐体部４には、第２の液晶表示器１４とともにそのドライバ回路を搭載した基板が内蔵されており、例えば第２のヒンジ機構１１内を導かれるフレキシブルケーブルを介して本体筐体部２側の制御部と電気的に接続されている。
【００２５】
第２表示器筐体部４には、長手方向の一端部４ｂ側に上述した本体筐体部２側の筒状軸受部に対応して筒状軸受部が一体に形成され、これら筒状軸受部が組み合わされるとともに図示しない支軸が嵌挿されて第２のヒンジ機構１１を構成する。第２のヒンジ機構１１にも、適宜のフリクション機構とクリック機構とが付設されており、これらフリクション機構とクリック機構とにより第２表示器筐体部４を本体筐体部２に対して閉じた状態と展開した状態とで安定して保持するようにするとともに、途中の任意の位置でも軽いテンションで停止可能とする。
【００２６】
第２表示器筐体部４は、第２のヒンジ機構１１に回転支持機構１５が付設されることによって、本体筐体部２に対して回転自在に組み合わされる。回転支持機構１５は、図４に示すように例えば第２のヒンジ機構１１を構成する筒状軸受部に回転支持部材１６が一体に突出され、この回転支持部材１６に対して第２表示器筐体部４が一端部４ｂ側を第２のヒンジ機構１１の回転軸と直交する方向の回転軸で回転自在に組み合わされるようにする。
【００２７】
回転支持機構１５は、第２表示器筐体部４が第１回転支持部材１６に対して一定角度、すなわち１８０°を範囲として、反復して回転操作を可能とする。回転支持機構１５には、適宜のフリクション機構とクリック機構とが付設されており、これらフリクション機構とクリック機構とにより第２表示器筐体部４が回転支持部材１６に対して内側面４ａを本体筐体部２の内側面２ａと同一面とする第１の状態と、この第１の状態から反転させた第２の状態とで安定した状態に保持するようにする。また、第２表示器筐体部４は、上記第２の状態、つまり反転した状態で本体筐体部２に閉じることも可能である。その場合、第２表示器筐体部４が閉じた状態であっても、使用者は第２液晶表示部１４を確認することができる。また、回転支持機構１５は、回転範囲の適宜の位置でも軽いテンションで停止可能とする。
【００２８】
以上のように構成された携帯電話機１においては、未使用状態、すなわち待機状態では図３に示すように本体筐体部２に対して第１表示器筐体部３と第２表示器筐体部４とがそれぞれの内側面２ａ，３ａ，４ａを対向させて重ね合わせた状態とされ、コンパクトな形態となっている。携帯電話機１においては、着信等があった場合に、第１表示器筐体部３に設けた図示しない小型の液晶表示器が発光することによってその旨の表示が行われる。第１表示器筐体部３及び第２表示器筐体部４の表示部は液晶以外、例えば有機ＥＬや無機ＥＬ等でも表示器として使用できることはもちろんである。
【００２９】
携帯電話機１においては、着信の応答や発呼操作等に際して、本体筐体部２に対して第１表示器筐体部３と第２表示器筐体部４とが展開操作される。携帯電話機１においては、第１のヒンジ機構１０を介して第１表示器筐体部３が本体筐体部２に対して所定角度宛、例えば約１６０°回転される。携帯電話機１においては、この状態で本体筐体部２側の送話部９と第１表示器筐体部３側の受話部１７とが利用者の口と耳とに対して最適な位置となるとともに、第１表示器筐体部３のスイッチングが行われて所定の表示が行われる。携帯電話機１においては、従来の携帯電話機と同様に第１表示器筐体部３に設けられた第１の液晶表示器１２に、発呼者側の電話番号等の表示が行われる。携帯電話機１においては、応答操作によって第１表示器筐体部３に通話時間やメール内容等の表示が行われる。
【００３０】
携帯電話機１においては、第２のヒンジ機構１１を介して第２表示器筐体部４も本体筐体部２に対して所定角度宛回転される。第２表示器筐体部４は、例えば回転角度が約１８０°程度まで回転させるようにしてもよい。携帯電話機１においては、第２表示器筐体部４を回転支持機構１５によって適当な角度回転させることによって、使用状態であってもその表示画面の確認が可能となる。また、携帯電話機１においては、左右何れの耳に当てて使用する場合においても第２表示器筐体部４を回転支持機構１５によって適当な角度に回転することにより、表示画面を最適な状態に調整可能である。
【００３１】
携帯電話機１においては、通話を行いながらでも第２表示器筐体部４の表示画面によって相手側から送信される各種の画像情報やデータ情報の視認が可能となる。また、携帯電話機１においては、内部メモリに記憶した第三者の電話番号やメールアドレス等の各種の情報を呼び出して表示したり、撮像ユニットによって撮像した画像を表示してこれらを確認した後に相手側へ送信するといったことも可能となる。携帯電話機１においては、相手方と通話と画像情報等との通信をハンズフリーセット等を用いることなく行うことが可能であり、使い勝手が大幅に向上される。
【００３２】
携帯電話機１においては、上述したように本体筐体部２に対して第１表示器筐体部３と第２表示器筐体部４とをそれぞれ開閉自在に組み合わす第１のヒンジ機構１０と第２のヒンジ機構１１にそれぞれフリクション機構を付設して任意の回転位置で停止可能とさせるように構成してなる。携帯電話機１においては、使用時に第１表示器筐体部３と第２表示器筐体部４とを展開させる必要があることから操作が面倒となる。
【００３３】
したがって、携帯電話機１においては、図５及び図６に示すように弾性機構１７と、ロック機構１８と、ロック解除機構１９とを付設するようにしてもよい。弾性機構１７は、第１のヒンジ機構１０に設けた第１のトーションスプリング１７ａと第２のヒンジ機構１１に設けた第２のトーションスプリング１７ｂとからなる。第１のトーションスプリング１７ａは、図５に示すようにコイル部が第１のヒンジ軸２０に装着されるとともに一端が本体筐体部２に掛け合わされかつ他端が第１表示器筐体部３に掛け合わされる。したがって、第１のトーションスプリング１７ａは、第１表示器筐体部３に対して本体筐体部２からの展開習性を付与する。
【００３４】
第２のトーションスプリング１７ｂも、図５に示すようにコイル部が第２のヒンジ軸２１に装着されるとともに一端が本体筐体部２に掛け合わされかつ他端が第２表示器筐体部４に掛け合わされる。したがって、第２のトーションスプリング１７ｂは、第２表示器筐体部４に対して本体筐体部２からの展開習性を付与する。なお、弾性機構１７については、上述したトーションスプリング１７ａ，１７ｂに限定されず、例えば板ばねや筐体に一体に形成した弾性片等を用いるようにしてもよい。
【００３５】
ロック機構１８は、図６に示すように本体筐体２側に設けられ、支軸２２に回転自在に組み付けられた一対のロックレバー２３ａ，２３ｂと、トーションスプリング２４と、第１表示器筐体部３に形成されたロック片２５と、第２表示器筐体部４に形成されたロック片２６等から構成される。ロック機構１８は、同図に示すように本体筐体部２に対して第１表示器筐体部３と第２表示器筐体部４とが閉じられた状態で、ロックレバー２３ａ，２３ｂが相対するロック片２５，２６と係合することによってロック状態に保持する。
【００３６】
ロック解除機構１９は、ロック機構１８によって本体筐体部２に対して閉じられた状態に保持された第１表示器筐体部３と第２表示器筐体部４とを、ワンタッチ操作で展開状態とする。ロック解除機構１９は、本体筐体部２に配置された押しボタン部材２７と、この押しボタン部材２７を付勢するコイルスプリング２８等から構成される。
【００３７】
携帯電話機１においては、本体筐体部２に対して第１表示器筐体部３と第２表示器筐体部４とが閉じられた待機状態において、使用する際に押しボタン部材２７が押圧操作される。携帯電話機１においては、ロック解除機構１９がロック機構１８による第１表示器筐体部３と第２表示器筐体部４とのロック状態を解除することで、これら第１表示器筐体部３と第２表示器筐体部４とが弾性機構１７により展開動作する。
【００３８】
携帯電話機１においては、図６矢印ａで示すように押しボタン部材２７がコイルスプリング２８の弾性力に抗して押圧操作されると、この押しボタン部材２７によってロックレバー２３ａ，２３ｂを同図矢印ｂ１，ｂ２で示すようにトーションスプリング２４の弾性力に抗して回転させる。携帯電話機１においては、このロックレバー２３ａ，２３ｂの回転動作に伴ってロック片２５，２６との係合状態が解除される。携帯電話機１においては、ロック機構１８によるロック状態が解除されることによって、第１表示器筐体部３と第２表示器筐体部４とが弾性機構１７のトーションスプリング１７ａ，１７ｂの弾性力によりそれぞれ同図矢印ｃ１，ｃ２で示すように展開動作する。
【００３９】
携帯電話機１においては、使用後に第１表示器筐体部３と第２表示器筐体部４とを本体筐体部２へと押し込むことによって、それぞれのロック片２５，２６がロックレバー２３ａ，２３ｂと再係合してロック状態に保持される。携帯電話機１においては、上述したように弾性機構１７、ロック機構１８及びロック解除機構１９を備えることによりワンタッチ操作で第１表示器筐体部３と第２表示器筐体部４とが展開動作することで、着信等に対して素早く応答することが可能である。
【００４０】
なお、携帯電話機１においては、弾性機構１７、ロック機構１８及びロック解除機構１９について上述した構造に限定されるものでは無いことは勿論である。携帯電話機１においては、例えばスライド操作によって本体筐体部２に対して第１表示器筐体部３と第２表示器筐体部４とが展開するように構成してもよい。また、ロック機構１８も、例えば本体筐体部２にロック片２５，２６に対応して開口部を形成するとともに、これら開口部の内部にロック部材を設けるようにしてもよく、各機構の具体的な構造は種々展開される。
【００４１】
【発明の効果】
以上詳細に説明したように、本発明にかかる折畳み型携帯電話機によれば、本体筐体部に対して第１の表示器を搭載した第１表示器筐体と第２の表示器を搭載した第２表示器筐体とを展開自在に組み合わせて構成したことにより、第１の表示器と第２の表示器とにより大容量の情報等を表示することが可能となる。折畳み型携帯電話機によれば、第１の表示器と第２の表示器とを組み合わせた表示を行うことで、より大型の表示を行うことが可能となるとともに表示切替えの操作を不要として多種類の情報等を同時に表示することが可能となる。折畳み型携帯電話機によれば、通話途中においても第２の表示器によって必要な情報等の表示が可能となり、ハンズフリーセット等を用いずとも通話が行われ使い勝手の大幅な向上が図られるようになる。
【図面の簡単な説明】
【図１】本発明の実施の形態として示す折畳み型携帯電話機の使用状態における斜視図である。
【図２】同折畳み型携帯電話機の使用状態における正面図である。
【図３】同折畳み型携帯電話機の待機状態における側面図である。
【図４】同折畳み型携帯電話機の使用状態における側面図である。
【図５】同折畳み型携帯電話機に備えられる弾性機構の概略構成の説明図である。
【図６】同折畳み型携帯電話機に備えられるロック機構とロック解除機構の概略構成の説明図である。
【符号の説明】
１        折畳み型携帯電話機
２        本体筐体部
３        第１表示器筐体部
４        第２表示器筐体部
６        ダイヤルキー
７        十字キー
９        送話部
１０      第１ヒンジ機構
１１      第２ヒンジ機構
１２      第１の液晶表示器
１３      受話部
１４      第２の液晶表示器
１５      回転支持機構
１６      回転支持部材
１７      弾性機構
１８      ロック機構
１９      ロック解除機構
【図１】
2004282407.tif 000003
【図２】
2004282407.tif 000004
【図３】
2004282407.tif 000005
【図４】
2004282407.tif 000006
【図５】
2004282407.tif 000007
【図６】
2004282407.tif 000008